(57)【特許請求の範囲】
【請求項１】
外部通信光ケーブルを各階に設けられた分配器に接続する建屋内外部通信伝送路において、
各階の昇降路壁を貫通するように前記昇降路壁の中に取り付けられた取付ケースと、
前記取付けケースに収容された外部通信光ケーブル接続コネクタと、
前記外部通信光ケーブル接続コネクタと前記分配器とを同一階において接続する分配器接続光ケーブルと、
各前記外部通信光ケーブル接続コネクタ間を接続するために昇降路内に配置された各外部通信渡り光ケーブルと、
を含む建屋内外部通信伝送路。
【請求項２】
前記取付ケースは、各階に設けられる呼び出し用操作盤背面の前記昇降路壁を貫通するように前記昇降路壁の中に取り付けられたことを特徴とする請求項１に記載の建屋内外部通信伝送路。
【請求項３】
外部通信光ケーブルを各階に設けられた分配器に接続するとともに、昇降機制御ケーブルを各階に設けられた呼び出し用操作制御盤に接続する統合信号伝送システムにおいて、
各階の昇降路壁を貫通するように前記昇降路壁の中に取り付けられた共通の取付ケースと、
前記取付けケースに収容された昇降機制御ケーブル接続コネクタと、
前記昇降機制御ケーブル接続コネクタと前記呼び出し用操作制御盤とを同一階において接続する制御盤接続ケーブルと、
各前記昇降機制御ケーブル接続コネクタ間を接続するために昇降路内に設置された昇降機制御渡りケーブルと、
前記共通の取付ケースに収容された外部通信光ケーブル接続コネクタと、
前記外部通信光ケーブル接続コネクタと前記分配器とを同一階において接続する分配器接続光ケーブルと、
各前記外部通信光ケーブル接続コネクタ間を接続するために昇降路内に配置された外部通信渡り光ケーブルと、
を有すること、
を特徴とした統合信号伝送システム。
【請求項４】
昇降機制御渡りケーブルと外部通信渡り光ケーブルは共通ハーネスユニットに収容されていることを特徴とする請求項３に記載の統合信号伝送システム。
【請求項５】
前記共通の取付ケースは、各階に設けられる呼び出し用操作盤背面の前記昇降路壁を貫通するように前記昇降路壁の中に取り付けられたことを特徴とする請求項３又は４に記載の統合信号伝送システム。
【発明の詳細な説明】
【技術分野】
【０００１】
本発明は、建屋内に設けられる外部との通信伝送路及び統合信号伝送システムに関する。
【背景技術】
【０００２】
近年、インターネットなどの普及に伴って、高速大容量の通信伝送路は必須の要件となりつつある。また、従来このような大容量通信伝送路が必要なかった中小の事務所ビルあるいは集合住宅などにおいてもその必要性が増してきている。これらの通信伝送路は、ＬＡＮ（Ｌｏｃａｌ  Ａｒｅａ  Ｎｅｔｗｏｒｋ）の利用等を目的として光ケーブルを敷設することによって構成することが多くなされている。
【０００３】
図４に光ケーブルによる通信伝送路網を示す。基幹光ケーブル１０１によって各基幹局１０７が接続され基幹光ネットワークが形成される。各基幹局１０７には基幹分配器１０８が設けられ、基幹光ケーブル１０１を各幹線光ケーブル１０２に分岐する。各幹線光ケーブル１０２は分岐点１０９にて各建物１１４に向かう支線光ケーブル１０３を分岐する。各支線光ケーブル１０３は各建物１１４の主配線盤１１０に接続される。主配線盤１１０からは建屋内光ケーブル１０４によって建物各階の分配器１１１に接続され、各分配器から個別光ケーブル１０６によって各個の端末１１２に接続されている。各個別の住宅１１７に接続する時には、幹線光ケーブル１０２の分岐点１０９から光ドロップケーブル１１６によって接続器１１３に接続され、ここから屋内の個別光ケーブル１０６によって各個の端末１１２に接続される。
【０００４】
上記の基幹光ケーブル１０１、幹線光ケーブル１０２、支線光ケーブル１０３、建屋内光ケーブル１０４は、複数の大容量あるいは中小容量回線であることから、図５（ａ）のように、数十から数百のテープ心線１２１を溝つきスペーサ１２２のスロット１２６に収容し外面を押さえ巻き１２４およびポリエチレンシース１２５で覆ったテープスロット型ケーブル１２０が用いられる。また、個別光ケーブル１０６には図５（ｂ）のような１つのテープ心線１２１の周りをポリエチレンシース１２５で覆ったインドアケーブル１３０が用いられる。テープ心線１２１は石英ガラスでできている非常に脆弱な光ファイバを保護するために、その周囲を紫外線硬化樹脂で覆った心線を複数本並べてさらに紫外線硬化樹脂で覆ったものである。また、光ケーブルの敷設時に光ファイバに張力がかかり破損することを防止するためにテープスロット型ケーブル、インドアケーブルともに鋼線からなるテンションメンバ１２３が埋め込まれている。
【０００５】
光ファイバはその特性上、曲がると伝播特性が劣化したり、破損が生じたりすることから、各ケーブルに最小曲げ半径が規定されている。幹線光ケーブル１０２に用いられる、数百心をまとめた大容量のテープスロット型ケーブルではその最小曲げ半径は３００〜６００ｍｍ、支線光ケーブル１０３、建屋内光ケーブル１０４に用いられる数十心をまとめた中小容量のテープスロット型ケーブルでもその最小曲げ半径は１００〜２００ｍｍで、個別光ケーブル１０６に用いられる単心のインドアケーブルでは１５〜３０ｍｍ程度となっている。このため、建屋内光ケーブル１０４は専用の直線状の縦配線路に設置され、分配器からの個別光ケーブル１０６は各個への曲げ配管の中に設置されている。
【発明の開示】
【発明が解決しようとする課題】
【０００６】
古いビル、あるいは中小の事務所ビルあるいは集合住宅はこのような光ファイバケーブルによる高速大容量の通信伝送路を設置することを考慮した設計となっていないため、上記のような直線状の縦配線路を設置できるようなスペースがなく、光ファイバケーブルによる高速大容量の通信伝送路を敷設できない状況が発生してきている。いくつかの曲がり配線路がある場合には、主配線盤１１０のそばに分配器１１１を配置し、そこから各個の端末まで個別光ケーブル１０６を敷設することが考えられるが、少数のケーブルの場合は可能であっても、数百箇所もの端末があるビルや集合住宅では、このような大規模な個別光ケーブルを設置することは困難で、実質的には光ファイバケーブルによる高速大容量の通信伝送路を敷設することは非常に困難であった。
【０００７】
そこで、このような建物内へ光ケーブルを敷設する場合は、建物の各階の床に穴開けし、建物の縦方向に光ケーブルを敷設する縦配線路を設けていた。そのために、まず各階の床をＸ線による非破壊検査等で検査して、床の中に埋め込まれている電気ケーブルや配管の位置を事前調査し、それらの場所を避けて床に穴開け施工して、その穴に直線状の縦配線管を設置して、配管中に光ケーブルを敷設する方法が行われている。
【０００８】
しかし、建物の各階の床に穴開け施工を行うことは、非破壊検査等による事前調査と床が厚いことによる大規模工事が必要になることから、工期とコストが増大するという問題があった。また、光ファイバケーブルは光ファイバに張力を掛けないように設置することが必要なことから、縦配線路に多くのサポートをとることが必要で、工期とコストが増大するという問題があった。
【０００９】
そこで、本発明の目的は、建屋に床の穴開けなどの大規模工事をすることなく、縦配線路のサポート数を少なくして、建屋の居住者に光ケーブルを短期間にかつ低コストの工事で、敷設することが可能な建屋内外部通信伝送路を提供することにある。
【課題を解決するための手段】
【００１０】
本発明の建屋内外部通信伝送路は、外部通信光ケーブルを各階に設けられた分配器に接続する建屋内外部通信伝送路において、各階の昇降路壁を貫通するように前記昇降路壁の中に取り付けられた取付ケースと、前記取付けケースに収容された外部通信光ケーブル接続コネクタと、前記外部通信光ケーブル接続コネクタと前記分配器とを同一階において接続する分配器接続光ケーブルと、各前記外部通信光ケーブル接続コネクタ間を接続するために昇降路内に配置された各外部通信渡り光ケーブルと、を含むことを特徴とする。ここで、前記取付ケースは、各階に設けられる呼び出し用操作盤背面の前記昇降路壁を貫通するように前記昇降路壁の中に取り付けられたこととしてもよい。
【００１１】
本発明の統合信号伝送システムは、外部通信光ケーブルを各階に設けられた分配器に接続するとともに、昇降機制御ケーブルを各階に設けられた呼び出し用操作制御盤に接続する統合信号伝送システムにおいて、各階の昇降路壁を貫通するように前記昇降路壁の中に取り付けられた共通の取付ケースと、前記取付けケースに収容された昇降機制御ケーブル接続コネクタと、前記昇降機制御ケーブル接続コネクタと前記呼び出し用操作制御盤とを同一階において接続する制御盤接続ケーブルと、各前記昇降機制御ケーブル接続コネクタ間を接続するために昇降路内に設置された昇降機制御渡りケーブルと、前記共通の取付ケースに収容された外部通信光ケーブル接続コネクタと、前記外部通信光ケーブル接続コネクタと前記分配器とを同一階において接続する分配器接続光ケーブルと、各前記外部通信光ケーブル接続コネクタ間を接続するために昇降路内に配置された外部通信渡り光ケーブルと、を有することを特徴とする。ここで、昇降機制御渡りケーブルと外部通信渡り光ケーブルは共通ハーネスユニットに収容されていることとしてもよいし、前記共通の取付ケースは、各階に設けられる呼び出し用操作盤背面の前記昇降路壁を貫通するように前記昇降路壁の中に取り付けられたこととしてもよい。
【発明の効果】
【００１２】
本発明による建屋内外部通信伝送路は、建屋の昇降機の昇降路内に外部通信ケーブルを配置するため、床の非破壊検査等による事前調査や穴開け施工が不要で光ケーブルの敷設が容易になり、建屋内の居住者に外部通信伝送路を短期間にかつ低コストの工事で、敷設することができるという効果を奏する。
【発明を実施するための最良の形態】
【００１３】
以下に図面を用いて本発明に係る実施の形態につき、詳細に説明する。図１は本発明の第１の実施形態の建屋内外部通信伝送路の説明図、図２は本発明の参考例の建屋内外部通信伝送路の説明図、図３は本発明の他の参考例による外部通信渡りケーブルの敷設方法の説明図である。
【００１４】
図１は、建屋１の中に設置された昇降機２の昇降路３０とその中に配置された、昇降機の制御用ケーブル配置と建屋内外部通信伝送路を示している。建屋１は、複数の階を有し、その複数の階を連絡するために昇降機２が設置されている。昇降機２は建屋１に設けられた昇降路３０の中を上下に移動するように設置され、昇降路３０の最上部の機械室３１には昇降機を駆動するための巻き上げ機などの駆動機構及び昇降機制御盤２０が設置されている。建屋の各階には昇降機を呼び出すための押しボタンなどが配置された呼び出し用操作盤２２が設けられており、呼び出し用操作盤２２の中には、呼び出し操作制御盤２３が配置されている。機械室３１の昇降機制御盤２０と呼び出し制御盤２３とは、一端に昇降機制御盤側昇降機制御ケーブル接続コネクタ２６ｂが取り付けられた昇降機制御盤ケーブル２１と、一端に呼び出し用操作盤側昇降機制御ケーブル接続コネクタ２６ａが取り付けられた制御盤接続ケーブル２４によって接続されている。昇降機制御盤側昇降機制御ケーブル接続コネクタ２６ｂと呼び出し用操作盤側昇降機制御ケーブル接続コネクタ２６ａを有する昇降機制御ケーブル接続コネクタ２６は、共通ケース３３に収容され昇降路壁３２に固定されている。また、呼び出し制御盤２３相互間は、一端に呼び出し用操作盤側昇降機制御ケーブル接続コネクタ２６ａが取り付けられた制御盤接続ケーブル２４と一端に昇降機制御渡りケーブル側昇降機制御ケーブル接続コネクタ２６ｃが取り付けられた昇降機制御渡りケーブル２５によって、昇降路３０の中で接続されている。このように各階の呼び出し操作制御盤２３は昇降機制御盤ケーブル２１、昇降機制御渡りケーブル２５、昇降機制御ケーブル接続コネクタ２６、制御盤接続ケーブル２４によって接続され、各階から昇降機２の呼び出しをすることができるようになっている。
【００１５】
外部の幹線通信路から分岐した外部通信ケーブル３は建屋１の中に引き込まれ、建屋内の主配線盤１０に接続されている。建屋の各階にはケーブルを各個に分配する分配器１１が設置されている。主配線盤１０と分配器１１とは、一端に主配線盤側建屋内外部通信ケーブル接続コネクタ９ｂが取り付けられた建屋内外部通信ケーブル４と、一端に分配器側外部建屋内外部通信ケーブル接続コネクタ９ａが取り付けられた分配器接続ケーブル７によって接続されている。主配線盤側建屋内外部通信ケーブル接続コネクタ９ｂと分配器側外部建屋内外部通信ケーブル接続コネクタ９ａが取り付けられた建屋内外部通信ケーブル接続コネクタ９は、共通ケース３３によって昇降路壁３２に固定されている。また、分配器１１相互間は、一端に分配器側外部通信ケーブル接続コネクタ８ａが取り付けられた分配器接続ケーブル７と一端に渡りケーブル側外部通信ケーブル接続コネクタ８ｂが取り付けられた外部通信渡りケーブル５によって、昇降路３０の中で接続されている。このように各階の分配器１１は順次主配線盤１０に接続され各階への外部通信伝送路が形成されている。渡りケーブル側外部通信ケーブル接続コネクタ８ｂと分配器側外部通信ケーブル接続コネクタ８ａとを有する外部通信ケーブル接続コネクタ８は、共通ケース３３に収容され昇降路壁３２に固定されている。各階の分配器１１と各個の端末１２の間は個別接続ケーブル１３によって接続されている。また、外部通信渡りケーブル５と昇降機制御渡りケーブル２５は共通ハーネスユニット２７に収容されている。各階の分配器１１は各階の呼び出し用操作盤２２の周りに配置されてもよいし、呼び出し用操作盤の中に配置されてもよい。
【００１６】
建屋内外部通信ケーブル４、外部通信渡りケーブル５は、数十心をまとめた中小容量のテープスロット型ケーブルが用いられるため、最小曲げ半径が１００〜２００ｍｍとなるように昇降路内に配置される。また、分配器接続ケーブル７も同様のテープスロット型ケーブルを用いて呼び出し用操作盤２２の近傍に配置される。一方、個別接続ケーブル１３は最小曲げ半径は１５〜３０ｍｍ単心のインドアケーブルが用いられるので、分配器１１から既設の電話回線配管などの曲がり配管内に自在に配置される。
【００１７】
本発明の第１の実施形態によると、最小曲げ半径が１００〜２００ｍｍの数十心をまとめた中小容量のテープスロット型ケーブルを床に穴を開けずに配置できることから、床の非破壊検査等による事前調査や穴開け施工が不要で光ケーブルの敷設が容易になり、建屋内の居住者に外部通信伝送路を短期間にかつ低コストの工事で、敷設することができるという効果を奏する。また、各階を接続する渡りケーブルは長さが各階高程度であることから、コネクタ間のケーブル重量は軽量で別途ケーブルサポートを設置しなくとも光ファイバを損傷することがないので、特別なサポートなしでケーブルを敷設することができ、現場作業を低減し工事を短期間にすることができるという効果を奏する。さらに、外部通信ケーブル接続コネクタ８と昇降機制御ケーブル接続コネクタ２６は共通ケース３３に収納されており、外部通信渡りケーブル５と昇降機制御渡りケーブル２５は共通ハーネスユニット２７に収容されていることから、外部通信ケーブル３と昇降機制御ケーブル２１を工場でユニット化して製造、準備し、現場での接続にかかる作業を大幅に低減することができることから短期間にかつ低コストの工事で、敷設することができるという効果を奏する。特に、昇降機の交換にあわせて建屋内外部通信伝送路を設置しようとする場合にはこの効果が大きくなる。
【００１８】
本発明の参考例について図２を参照しながら説明する。第１の実施形態と同様の部分については同様の符号を用い説明は省略する。
【００１９】
本参考例は、外部通信ケーブル接続コネクタ８と昇降機制御ケーブル接続コネクタ２６は共通ケース３３に収納されて昇降路３０の壁の内側に固定されているものである。本参考例では、外部通信渡りケーブル５と昇降機制御渡りケーブル２５は直線の共通ハーネスユニット２７に収容されていることから、階層が多く、各階間の接続が多い場合に、その接続作業を効率化することができるという効果を奏する。
【００２０】
今までの第１の実施形態、参考例は昇降機の制御ケーブルと外部通信伝送路を同時に敷設する場合についてのものであるが、昇降機が設置されている建屋に外部通信伝送路のみを追設するような場合、あるいは一部の階に外部通信伝送路を設置することが必要な場合がある。他の本参考例は、このような場合にも床に穴を開けないでケーブルを敷設する方法である。
【００２１】
以下、他の参考例について、図３を参照しながら説明する。ケーブルの敷設は次のような手順で行う。
（１）上部の階の呼び出し用操作盤の背面の昇降路３０の昇降路壁３２に壁孔３４を開ける。
（２）開けた壁孔３４にケーブル挿入ガイド４１を挿入する。ケーブル挿入ガイド４１は曲り管状のもので、曲り半径は、外部通信渡りケーブル５の最小曲げ半径以上となっている。ケーブル挿入ガイド４１は孔に挿入後、昇降路内側が略垂直下向きになるように位置を調整し、固定する。
（３）ケーブルを配線しようとする下側の階の呼び出し用操作盤の背面の昇降路３０の昇降路壁３２にも上部の階と同様、壁孔３４を明ける。壁孔３４は上部の階のものよりも大きいものとしておく。
（４）開けた壁孔３４にケーブル引き出しガイド４２を挿入する。ケーブル引き出しガイド４２も曲り管状のもので、曲り半径は、外部通信渡りケーブル５の最小曲げ半径以上となっており、先端に漏斗状の受け口４３を有している。ケーブル引き出しガイド４２は孔に挿入後、受け口４３が略垂直上向きで、ケーブル挿入ガイド４１と受け口４３が対向するように位置を調整し、固定する。
（５）ケーブル引き出しガイド４２の呼び出し用操作盤２２側にジャバラダクト４５と吸引機４６を接続する。
（６）外部通信渡りケーブル５の先端にスポンジボール等の弾性体４４を取り付け、上部の階のケーブル挿入ガイド４１から挿入する。
（７）吸引機４６を運転し、昇降路３０の空気をケーブル引き出しガイド４２から吸い込む。このときに外部通信渡りケーブル５の先端に取り付けたスポンジボール等の弾性体４４を同時に受け入れ口４３から吸い込み、外部通信渡りケーブル５をケーブル取り出しガイド４２の中に取り込む。
（８）外部通信渡りケーブル５の先端がケーブル引き出しガイド４２から出てきたところで、吸引機４６の運転を停止し、ジャバラダクト４５を取り外して、外部通信渡りケーブル５を取り出した後、ケーブル挿入ガイド４１、ケーブル引き出しガイド４２を取り外す。このとき、ケーブル挿入ガイド４１、ケーブル引き出しガイド４２は昇降機の運行に支障がなければ取り外さなくてもよい。
（９）外部通信渡りケーブル５の両端に外部通信ケーブル接続コネクタ８を取り付けて、第１の実施形態と同様分配器１１と接続する。
【００２２】
本参考例によると、床に穴を開けず、しかも昇降路内に入らなくとも外部通信ケーブルの敷設が可能であることから、床の非破壊検査等による事前調査や穴開け施工が不要で光ケーブルの敷設が容易になり、建屋内の居住者に外部通信伝送路を短期間にかつ低コストの工事で、敷設することができるという効果を奏する。また、昇降路内に入らなくとも作業できることから、工事のために昇降機を停止させる期間を最短にすることができ、建屋の居住者等の不便を最小にしてケーブルを敷設することができるという効果を奏する。さらに、第１の実施形態と同様、各階を接続する渡りケーブルは長さが各階高程度であることから、別途ケーブルサポートを設置することなくケーブルを敷設することができるので、現場作業を低減し工事を短期間にすることができるという効果を奏する。
【産業上の利用可能性】
【００２３】
本発明はエレベータなどの人貨用の昇降機の昇降路に限らず、小荷物専用昇降機や、自動車用エレベータなどの昇降路に外部通信伝送路を敷設する場合にも同様に適用することができる。また、主配線盤１０は建屋の下部に設置した場合に限らず建屋の上部の機械室３１の中など、どこに設置してもよい。
【図面の簡単な説明】
【００２４】
【図１】本発明の第１の実施形態の建屋内外部通信伝送路の説明図である。
【図２】本発明の参考例の建屋内外部通信伝送路の説明図である。
【図３】本発明の他の参考例による外部通信渡りケーブルの敷設方法の説明図である。
【図４】光ケーブルによる通信伝送路網の概念図である。
【図５】光ファイバケーブルの断面図である。
【符号の説明】
【００２５】
１  建屋、２  昇降機、３  外部通信ケーブル、４  建屋内外部通信ケーブル、５  外部通信渡りケーブル、７  分配器接続ケーブル、８  外部通信ケーブル接続コネクタ、８ａ  分配器側外部通信ケーブル接続コネクタ、８ｂ  渡りケーブル側外部通信ケーブル接続コネクタ、９  建屋内外部通信ケーブル接続コネクタ、９ａ  分配器側外部建屋内外部通信ケーブル接続コネクタ、９ｂ  主配線盤側建屋内外部通信ケーブル接続コネクタ、１０  主配線盤、１１  分配器、１２  端末、１３  個別接続ケーブル、２０  昇降機制御盤、２１  昇降機制御ケーブル、２２  呼び出し用操作盤、２３  呼び出し操作制御盤、２４  制御盤接続ケーブル、２５  昇降機制御渡りケーブル、２６  昇降機制御ケーブル接続コネクタ、２６ａ  呼び出し用操作盤側昇降機制御ケーブル接続コネクタ、２６ｂ  昇降機制御盤側昇降機制御ケーブル接続コネクタ、２６ｃ  昇降機制御渡りケーブル側昇降機制御ケーブル接続コネクタ、２７  共通ハーネスユニット、３０  昇降路、３１  機械室、３２  昇降路壁、３３  共通ケース、３４  壁孔、４１  ケーブル挿入ガイド、４２  ケーブル引き出しガイド、４３  受け口、４４  弾性体、４５  ジャバラダクト、４６  吸引機、１０３  支線光ケーブル、１０４  建屋内光ケーブル、１０６  個別光ケーブル、１０７  基幹局、１０８  基幹分配器、１１０  主配線盤、１１１  分配器、１１２  端末、１１３  接続器、１１４  建物、１２１  テープ心線、１２２  溝つきスペーサ、１２３  テンションメンバ、１２４  押さえ巻き、１２５  ポリエチレンシース、１２６  スロット、１３０  インドアケーブル。
【図１】
0004673723.tif 000002
【図２】
0004673723.tif 000003
【図３】
0004673723.tif 000004
【図４】
0004673723.tif 000005
【図５】
0004673723.tif 000006